(57)【特許請求の範囲】
【請求項１】
枢支部（１３）を中心として揺動する調量レバー（６）の操作で連動部材（１４）を介して調量弁（５）を開閉動作させるようにした背負式散布機の調量装置において、調量レバー（６）は、揺動可能に支持される基レバー体（６Ａ）と、この基レバー体（６Ａ）にスライド可能に支持される操作部（６０）をもつ先レバー体（６Ｂ）とから成り、この先レバー体（６Ｂ）の基レバー体（６Ａ）への支持位置に対し操作部（６０）と反対側端部に連動部材（１４）を連結していることを特徴とする背負式散布機の調量装置。
【請求項２】
先レバー体（６Ｂ）は、さらに長さ方向に分割されて、連動部材（１４）が連結されるスライド体（６Ｃ）と、操作部（６０）をもつ操作体（６Ｄ）とから成り、この操作体（６Ｄ）が、基レバー体（６Ａ）にその揺動方向と交差する方向に揺動可能に枢支されていると共に、操作体（６Ｄ）とスライド体（６Ｃ）との間に、操作体（６Ｄ）の揺動操作でスライド体（６Ｃ）をスライド動作させる連動機構（２１）を設けている請求項１記載の背負式散布機の調量装置。
【請求項３】
先レバー体（６Ｂ）は、連動部材（１４）が連結されるスライド体（６Ｃ）と、基レバー体（６Ａ）に相対回転のみ可能に支持される操作体（６Ｅ）とから成り、この操作体（６Ｅ）をスライド体（６Ｃ）に螺着している請求項１記載の背負式散布機の調量装置。
【請求項４】
先レバー体（６Ｂ）は、連動部材（１４）が連結されるスライド体（６Ｃ）と、基レバー体（６Ａ）に相対回転のみ可能に支持される操作体（６Ｅ）とから成り、この操作体（６Ｅ）とスライド体（６Ｃ）との一方に、長さ方向に向かって周方向に傾斜するカム面（６０１）を設け、他方に、該カム面（６０１）と係合する係合突起（６０２）を設けている請求項１記載の背負式散布機の調量装置。
【発明の詳細な説明】
【０００１】
【発明の属する技術分野】
本発明は薬剤・肥料等の散布剤を圃場等に散布する背負式散布機の調量装置に関する。
【０００２】
【従来の技術】
一般に、薬剤・肥料等の散布剤を圃場等に散布する場合、単位面積あたりの散布量を変えている。そこで、従来においては、実公平６ー３４８４３号公報に記載されているように、散布剤タンク内の散布剤を送風通路に供給する調量弁に、連動部材を介して調量レバーを連結し、この調量レバーの揺動操作で調量弁を開閉する一方、調量レバーの基部近傍に、調量レバーの揺動角に対する調量弁の開度を変更する弁開度変更体を調量レバーと独立して設け、圃場に応じて単位面積当たりの散布量を変更することができるようにしたものが知られている。また、調量レバーは、背負部に対し前方に大きく突出させて、作業者が背負った状態で調量レバーの自由端側操作部を把持して上下方向に揺動操作できるようにしている。
【０００３】
【発明が解決しようとする課題】
ところが、この従来のものは、弁開度変更体が、調量レバーの基部近くに調量レバーと独立して設けられているため、散布機を背負って散布作業を行っている途中で圃場に応じて単位面積当たりの散布量を変更する場合、散布機を背負った状態では、弁開度変更体が見え難くて操作が行い難いし、また所望の弁開度に変更でき難い問題があった。
【０００４】
本発明は、調量弁を操作する調量レバーを、調量操作方向と異なる方向に操作するだけの簡単な操作で調量レバーの揺動角に対する調量弁の開度を容易に且つ正確に変更することができる調量装置を提供することを主たる目的とする。
【０００５】
【課題を解決するための手段】
本発明は、上記目的を達成するために、請求項１記載の発明は、図１に示すように、枢支部を中心として揺動する調量レバーの操作で連動部材を介して調量弁を開閉動作させるようにした背負式散布機の調量装置において、調量レバー６を、揺動可能に支持される基レバー体６Ａと、この基レバー体６Ａにスライド可能に支持される操作部６０をもつ先レバー体６Ｂとから構成し、この先レバー体６Ｂの基レバー体６Ａへの支持位置に対し操作部６０と反対側端部に連動部材１４を連結した。
【０００６】
請求項２記載の発明は、調量レバー６を調量操作方向と異なる方向に振り操作するだけの簡単な操作で調量レバー６の揺動角に対する調量弁５の開度を変更できるようにするため、図９に示すように、先レバー体６Ｂをさらに長さ方向に分割して、連動部材１４が連結されるスライド体６Ｃと、操作部６０をもつ操作体６Ｄとから構成し、この操作体６Ｄを、基レバー体６Ａにその揺動方向と交差する方向に揺動可能に枢支すると共に、操作体６Ｄとスライド体６Ｃとの間に、操作体６Ｄの揺動操作でスライド体６Ｃをスライド動作させる連動機構２１を設けた。
【０００７】
請求項３記載の発明は、調量レバー６を調量操作方向と異なる方向に回し操作するだけの簡単な操作で調量レバー６の揺動角に対する調量弁５の開度を変更できるようにするため、図１０に示すように、先レバー体６Ｂを、連動部材１４が連結されるスライド体６Ｃと、基レバー体６Ａに相対回転のみ可能に支持される操作体６Ｅとから構成し、この操作体６Ｅをスライド体に螺着した。
【０００８】
請求項４記載の発明は、調量レバー６を回し操作するだけで調量レバー６の揺動角に対する調量弁５の開度を変更できるようにするため、図１１に示すように、先レバー体６Ｂを、連動部材１４が連結されるスライド体６Ｃと、基レバー体６Ａに相対回転のみ可能に支持される操作体６Ｅとから構成し、この操作体６Ｅとスライド体６Ｃとの一方に、長さ方向に向かって周方向に傾斜するカム面６０１を設け、他方に、該カム面６０１と係合する係合突起６０２を設けた。
【０００９】
【発明の作用効果】
請求項１記載の発明では、調量レバー６における先レバー体６Ｂをスライド操作することにより、連動部材１４の先レバー体６Ｂへの連結点と、基レバー体６Ａの枢支点との間の長さＨを変更できて、調量レバー６の揺動角に対する調量弁５の開度を変更できるのである。従って、背負い状態で散布作業を行うときにおいても、調量レバー６を把持した状態で、先レバー体６Ｂを例えば肩部を支点として前後にスライドさせるだけの簡単な操作で弁開度を容易に、かつ正確に変更できるのである。
【００１０】
請求項２記載の発明では、先レバー体６Ｂの操作体６Ｄを調量操作方向と異なる方向に振り操作することにより、連動部材１４の先レバー体６Ｂとの連結点と基レバー体６Ａの枢支点との間の長さＨを変更でき、調量レバー６の揺動角に対する調量弁５の開度を変更できるから、背負い状態で散布作業を行うときにおいても、調量レバー６を把持した状態で、前記先レバー体６Ｂを例えば肘を支点として横方向に振り操作するだけの簡単な操作で弁開度を容易に、かつ正確に変更できるのである。
【００１１】
請求項３記載の発明では、先レバー体６Ｂの操作体６Ｅを指で回し操作することにより、連動部材１４の先レバー体６Ｂとの連結点と基レバー体６Ａの枢支点との間の長さＨを変更でき、調量レバー６の揺動角に対する調量弁５の開度を変更できるから、背負い状態で散布作業を行うときにおいても、調量レバー６を把持した状態で、先レバー体６Ｂの操作体６Ｅを指で回し操作するだけの簡単な操作で弁開度を容易に、かつ正確に変更できるのである。
【００１２】
請求項４記載の発明では、先レバー体６Ｂの操作体６Ｅを指で回し操作することにより、連動部材１４の先レバー体６Ｂとの連結点と基レバー体の枢支点との間の長さＨを変更でき、調量レバー６の揺動角に対する調量弁５の開度を変更できるから、背負い状態で散布作業を行うときにおいても、調量レバー６を把持した状態で、先レバー体６Ｂの操作体６Ｅを指で回し操作するだけの簡単な操作で弁開度を容易に、かつ正確に変更できるのである。
【００１３】
【発明の実施形態】
図６〜図８に示した背負式散布機は、作業者が背中に背負う背負部１ａをもつ背負枠１の背面側に、エンジン２を装備し且つ上部に横長状の散布剤受入口３１をもつ送風装置３を取付け、この送風装置３の上方に、上部に散布剤投入口４１をもち且つ底部を横長状に形成した散布剤タンク４を着脱可能に装着している。
【００１４】
この散布剤タンク４は、上部の投入口４１側から底部に向かって絞り込まれた略漏斗状で、底面を開放したタンク本体４Ａと、該タンク本体４Ａの底部に、下方側から着脱可能に挿嵌支持する角形リング状の弁箱４Ｂとから成り、これらタンク本体４Ａと弁箱４Ｂとの左右両側を、逆Ｕ字形のボルト４２とナット４３とで着脱可能に結合すると共に、前記弁箱４Ｂのタンク本体４Ａから下方への突出部内側に、散布剤タンク４内の散布剤を調量して前記受入口３１に供給する調量弁５を、横方向の弁軸５１を介して開閉自在に設けている。尚、タンク本体４Ａと弁箱４Ｂとを一体として散布剤タンク４を構成してもよい。
【００１５】
送風装置３は、前記エンジン２により駆動されるファン３Ａと、該ファン３Ａを内蔵したファンケース３Ｂとから成り、このファンケース３Ｂ内に、ファン３Ａの回りに沿って延びる送風通路３２と、この送風通路３２の出口近くから前記散布剤受入口３１に連通する散布剤供給路３３とを備え、送風通路３２の出口にエルボ管１０を介して噴管を着脱可能に接続するようにしている。
【００１６】
また、ファンケース３Ｂの下部一側に、レバー受体１２を取付け、このレバー受体１２に、横軸から成る枢支部１３を中心として上下方向に揺動可能な調量レバー６と、該調量レバー６を案内するレバーガイド７とを装着し、調量レバー６の反操作部側端部と前記弁軸５１の端部に突設した杆受体５２とを、ロッドから成る連動部材１４で連結し、調量レバー６の上下方向の揺動操作で前記調量弁５を開閉動作させるようにしている。
【００１７】
調量レバー６は、レバー受体１２と一体に形成された前記枢支部１３に揺動可能に支持される角筒状の基レバー体６Ａと、この基レバー体６Ａの内側にスライド可能に支持され且つ外方への突出部に操作部６０をもつ先レバー体６Ｂとから成り、この先レバー体６Ｂを背負部１ａに対し前方に大きく突出させて、作業者が背負った状態で自由端側操作部６０を把持して水平に近い状態から上方に向かって調量弁５の開度調節領域Ａ及び該開度調節領域Ａを越えてさらに上方に揺動可能にしている。
【００１８】
基レバー体６Ａには、枢支部１３に対し一方側の両側部に、長さ方向に延びるガイド孔６１を設け、他方側下部に、長さ方向に所定間隔をおいて複数個の規制凹部６２を設けると共に、この他方側の内側部に、前記レバーガイド７に形成される位置決め凹部の一つに選択的に係合する合成樹脂製の弾性変位可能な位置決め体１５を設けている。
【００１９】
また、先レバー体６Ｂには、前記枢支部１３を受入れる長孔６３を設けて、基レバー体６Ａに対しスライド自在にすると共に、長孔６３に対し操作部６０と反対側端部に、前記枢支部１３の軸心と並行で前記ガイド孔６１に突入する連結ピン１６を回動自在に保持し、この連結ピン１６の一端部に、前記連動部材１４の下端部を枢支ピン１７を介して相対回転可能に連結し、先レバー体６Ｂの基レバー体６Ａに対するスライド時、前記連結ピン１６がガイド孔６１に沿って移動して、連動部材１４の先レバー体６Ｂへの連結点と、基レバー体６Ａの枢支点との間の長さＨを変更できるようにしている。さらに、先レバー体６Ｂの長孔６３に対し操作部６０側には、前記規制凹部６２の一つと選択的に係合する合成樹脂製の弾性変位可能な係合体１８を設けている。
【００２０】
前記レバーガイド７は、前記枢支部１３とともにレバー受体１２と一体に形成されるのであって、調量レバー６の揺動方向に沿って前記枢支部１３を中心とする略四半円形を呈し、調量レバー６との対向内面で、水平に近い下端部に、調量レバー６を水平に近い状態に停止させるストッパ７１を設けると共に、このストッパ７１から上方の所定角内で調量レバー６の前記開度調節領域Ａでの揺動を許容する調量ガイド部７Ａと、この調量ガイド部７Ａを越えて上方側への揺動を許容する格納ガイド部７Ｂとを設けている。調量ガイド部７Ａには、前記位置決め体１５に係合して調量レバー６の揺動角を設定する複数個の第１位置決め凹部７２と、前記枢支部１３の自由端部に枢着する上限規制体１９と係合して調量レバー６の揺動上限を段階的に設定する複数個の規制凹部７３とを設け、また、格納ガイド部７Ｂの終端部には、前記位置決め体１５に係合して調量レバー６の基レバー体６Ａを垂直に近い格納状態に停止させる第２位置決め凹部７４を設けている。
【００２１】
前記上限規制体１９は、前記枢支部１３の自由端部に枢着するアーム部１９ａと、該アーム部１９ａの自由端から屈曲する筒部１９ｂとにより略Ｌ字形に形成され、筒部１９ｂ内に、コイルバネ１９ｄにより筒部１９ｂから突出方向に付勢された係止ピン１９ｃを保持し、該係止ピン１９ｃを、その一端に形成された摘みを持って進退動作させるようにしている。
【００２２】
以上の構成において、調量レバー６の先レバー体６Ｂは背負部１ａに対し前方に大きく突出しているため、背負い状態で散布作業を行うとき、調量レバー６における先レバー体６Ｂの操作部６０を把持して調量ガイド部７Ａ領域内で揺動操作することにより、該先レバー体６Ｂと基レバー体６Ａとが一体の状態で揺動し、調量弁５の開度を任意に調節できるのであり、このとき、位置決め体１５が第１位置決め凹部７２の一つと選択的に係合して、調量レバー６の操作位置、ひいては調量弁５の弁開度を維持できる。
【００２３】
また、背負い状態で把持している先レバー体６Ｂを基レバー体６Ａに対し作業者の前後にスライド操作することにより、連動部材１４の先レバー体６Ｂとの連結点と基レバー体６Ａの枢支点との間の長さＨを変更でき、調量レバー６の揺動角に対する調量弁５の開度を変更できるのである。従って、背負い状態で散布作業を行うときにおいても、調量レバー６を把持した状態で調量レバー６の揺動角に対する弁開度を容易に、かつ正確に変更できるのである。このとき、係合体１８が規制凹部６２の一つと選択的に係合して、先レバー体６Ｂが基レバー体６Ａと一体化する。
【００２４】
第２実施形態では、図９に示すように、基レバー体６Ａに対しスライド可能とした前記先レバー体６Ｂをさらに長さ方向に分割して、連動部材１４が連結されるスライド体６Ｃと、操作部６０をもつ操作体６Ｄとにより構成し、この操作体６Ｄの反操作部側端部を、基レバー体６Ａの反ガイド孔側端部に縦軸２０を介してその揺動方向と交差する横方向に揺動可能に枢支すると共に、操作体６Ｄとスライド体６Ｃとの間に、操作体６Ｄの揺動操作でスライド体６Ｃをスライド動作させる連動機構２１を設け、操作体６Ｄの横方向への振り操作でスライド体６Ｃを基レバー体６Ａに対しスライドさせ、第１実施形態と同様、連動部材１４の先レバー体６Ｂとの連結点と基レバー体６Ａの枢支点との間の長さＨを変更するようにしている。
【００２５】
また、前記連動機構２１は、操作体６Ｄの枢支部側端部から突出する第１連動片２２と、スライド体６Ｄから突出する第２連動片２３及び第１連動片２２に設ける長孔２４と、第２連動片２３に設ける連動ピン２５とから成り、この連動ピン２５を前記長孔２４に挿嵌係合させている。また、前記操作体６Ｄと基レバー体６Ａとの一方には、図示していないが前記係合体１８を設け、他方には図示していないが前記規制凹部６２を設けて、操作体６Ｄの基レバー体６Ａに対する位置を維持できるようにする。また、第２実施形態において、以上説明した以外の構成については図１〜図８の第１実施形態と同様であるから、その構造の図示及び説明を省略する。
【００２６】
第３実施形態では、図１０に示すように、第２実施形態と同様、基レバー体６Ａに対しスライド可能とした先レバー体６Ｂをさらに長さ方向に分割して、連動部材１４が連結されるスライド体６Ｃと、基レバー体６Ａに相対回転のみ可能に支持される操作体６Ｅとにより構成し、前記基レバー体６Ａの反ガイド孔側端部に、貫通孔６５ａをもつ保持筒６５を設けると共に、前記操作体６Ｅの反操作部側端部に、前記貫通孔６５ａに回転自在に挿通する軸部６６と、環状の係止溝６７とねじ軸６８とを設け、軸部６６を貫通孔６５ａに挿通した後係止溝に止め輪２２を嵌合して、操作体６Ｅを基レバー体６Ａに対し回転のみ可能とし、更に前記スライド体６Ｃの反ガイド孔側端部にねじ孔６９を設け、このねじ孔６９に前記ねじ軸６８を螺着して、操作体６Ｅの回し操作でスライド体６Ｃを基レバー体６Ａに対しスライドさせ、第１実施形態と同様、連動部材１４の先レバー体６Ｂとの連結点と基レバー体６Ａの枢支点との間の長さＨを変更するようにしている。また、前記操作体６Ｅと基レバー体６Ａとの一方には、図示していないが前記係合体１８を設け、他方には図示していないが前記規制凹部６２を設けて、操作体６Ｅのスライド体６Ｃに対する位置を維持できるようにする。また、以上説明した以外の構成については図１〜図８の第１実施形態と同様であるから、その構造の図示及び説明を省略する。
【００２７】
第３実施形態において、前記ねじ軸６８とねじ孔６９とに代えて、図１１に示す第４実施形態のように、基レバー体６Ａに相対回転のみ可能に支持した操作体６Ｅと前記スライド体６Ｃとの一方に、長さ方向に向かって周方向に傾斜する螺旋状の溝から成るカム面６０１を設け、他方に、該カム面６０１に係合する係合突起６０２を設けて、操作体６Ｅの回し操作でスライド体６Ｃを基レバー体６Ａに対しスライドさせ、第１実施形態と同様、連動部材１４の先レバー体６Ｂとの連結点と基レバー体６Ａの枢支点との間の長さＨを変更するようにしている。また、前記操作体６Ｅと基レバー体６Ａとの一方には、図示していないが前記係合体１８を設け、他方には図示していないが前記規制凹部６２を設けて、操作体６Ｅのスライド体６Ｃに対する位置を維持できるようにする。また、以上説明した以外の構成については図１〜図８の第１実施形態及び図１０の第３実施形態と同様であるから、その構造の図示及び説明を省略する。
【００２８】
以上の第２〜第４実施形態においても、第１実施形態と同様、背負い状態で散布作業を行うとき、調量レバー６における先レバー体６Ｄ，６Ｅの操作部６０を把持して調量ガイド部７Ａ領域内で揺動操作することにより、該先レバー体６Ｄ，６Ｅと基レバー体６Ａとが一体の状態で揺動し、調量弁５の開度を任意に調節できるのであり、このとき、位置決め体１５が第１位置決め凹部７２の一つと選択的に係合して、調量レバー６の操作位置、ひいては調量弁５の弁開度を維持できる。
【００２９】
また、背負い状態で把持している操作体６Ｄ，６Ｅを基レバー体６Ａに対し横方向に振り操作又は回し操作することにより、連動部材１４の先レバー体６Ｂとの連結点と基レバー体６Ａの枢支点との間の長さＨを変更でき、調量レバー６の揺動角に対する調量弁の開度を変更できるのである。従って、背負い状態で散布作業を行うときにおいても、調量レバー６を把持した状態で弁開度を容易に、かつ正確に変更できるのである。このとき、係合体１８が規制凹部６２の一つと選択的に係合して、先レバー体６Ｂが基レバー体６Ａと一体化する。
【図面の簡単な説明】
【図１】本発明調量装置の縦断正面図。
【図２】同調量装置の横断平面図。
【図３】同上限規制体部分での断面図。
【図４】図１に対応した作動状態の説明図。
【図５】同図２に対応した作動状態の説明図。
【図６】同調量装置を装備した散布機の散布剤タンク・エンジンを省略した平面図。
【図７】同調量装置を装備した散布機の一部を断面した側面図。
【図８】同調量装置を装備した背負式散布機の一部を断面した正面図。
【図９】調量装置の第２実施形態を示す図２に対応した断面図。
【図１０】同調量装置の第３実施形態を示す図２に対応した断面図。
【図１１】同調量装置の第４実施形態を示す図２に対応した断面図。
【符号の説明】
５    調量弁
６    調量レバー
７    レバーガイド
７Ａ    調量ガイド部
７Ｂ    格納ガイド部
１３    枢支部
Ａ    開度調節領域
【図１】
0003595867.tif 000002
【図２】
0003595867.tif 000003
【図３】
0003595867.tif 000004
【図４】
0003595867.tif 000005
【図５】
0003595867.tif 000006
【図６】
0003595867.tif 000007
【図７】
0003595867.tif 000008
【図８】
0003595867.tif 000009
【図９】
0003595867.tif 000010
【図１０】
0003595867.tif 000011
【図１１】
0003595867.tif 000012